(57)【要約】【課題】大量の雨水などが大量の空気を伴って立主管を流下しても、管内水が管外に跳ね出し難くいとともに、管内空気の吹き出し音が小さい排水用配管構造を提供する。【解決手段】立主管１の上下方向複数箇所に枝管を連通接続して、枝管の夫々から立主管に流入した水を、横主管を通して排水可能に設けてある排水用配管構造であって、立主管の下端側に、その立主管の外径よりも内径が大きい大径部８を備えた筒状体９を連通接続して、その筒状体の下部に横主管を連通接続してあるとともに、筒状体の内外を連通する連通路１１を立主管の下端開口１２よりも高い位置の筒状体部分に開口させてある。【選択図】図２
2008267040.tif 000002
【特許請求の範囲】
【請求項１】
立主管の上下方向複数箇所に枝管を連通接続してあり、
前記枝管の夫々から前記立主管に流入した水を、横主管を通して排水可能に設けてある排水用配管構造であって、
前記立主管の下端側に、その立主管の外径よりも内径が大きい大径部を備えた筒状体を連通接続して、その筒状体の下部に前記横主管を連通接続してあるとともに、
前記筒状体の内外を連通する連通路を前記立主管の下端開口よりも高い位置の筒状体部分に開口させてある排水用配管構造。
【請求項２】
前記立主管の下端側を前記筒状体の内側に突出するように入り込ませてある請求項１記載の排水用配管構造。
【請求項３】
前記筒状体部分に形成した貫通孔で前記連通路を構成してある請求項１又は２記載の排水用配管構造。
【発明の詳細な説明】
【技術分野】
【０００１】
本発明は、立主管の上下方向複数箇所に枝管を連通接続してあり、前記枝管の夫々から前記立主管に流入した水を、横主管を通して排水可能に設けてある排水用配管構造に関する。
【背景技術】
【０００２】
上記排水用配管構造では、従来、立主管の下端部と横主管とをエルボ継手などを介して直に連通接続してあり、大量の雨水などが大量の空気を伴って立主管を流下すると、立主管内の下流部分において管内空気が圧縮されて空気圧が上昇し易く、その空気圧で管内水が枝管を逆流する現象が生じ易い。
この現象を防止するためには、立主管内の下流部分における管内空気を管外に逃がして空気圧の上昇を抑制すれば良いが、管径に対して大量の排水が流れ込む場合においては、その効果は限定的であった（周知慣用技術であり、適切な先行技術文献情報を開示できない）。
【発明の開示】
【発明が解決しようとする課題】
【０００３】
このため、管内水が管内空気と共に枝管に流入してその上流側開口から管外に跳ね出し易い欠点があり、特に、横主管が満流状態に近づくほど空気圧が増大して、管内空気が枝管の上流側開口から管外に吹き出す際の吹き出し音が大きくなり易い欠点がある。
本発明は上記実情に鑑みてなされたものであって、大量の雨水などが大量の空気を伴って立主管を流下しても、管内水が管外に跳ね出し難くいとともに、管内空気の吹き出し音が小さい排水用配管構造を提供することを目的とする。
【課題を解決するための手段】
【０００４】
本発明の第１特徴構成は、立主管の上下方向複数箇所に枝管を連通接続してあり、前記枝管の夫々から前記立主管に流入した水を、横主管を通して排水可能に設けてある排水用配管構造であって、前記立主管の下端側に、その立主管の外径よりも内径が大きい大径部を備えた筒状体を連通接続して、その筒状体の下部に前記横主管を連通接続してあるとともに、前記筒状体の内外を連通する連通路を前記立主管の下端開口よりも高い位置の筒状体部分に開口させてある点にある。
【０００５】
〔作用及び効果〕
立主管の下端側に、その立主管の外径よりも内径が大きい大径部を備えた筒状体を連通接続して、その筒状体の下部に横主管を連通接続してあるので、筒状体の内側に大きな空間を確保して、大量の雨水が一時に流れ落ちてきても空気圧の上昇を抑制できるとともに、筒状体の内外を連通する連通路を設けてあるので、筒状体の内側で空気圧の上昇が抑制された管内空気を、その連通路を通して管外に効率良く逃がすことができて、管内空気が枝管に流入し難く、また、筒状体の内側における空気圧が増大し難いので、横主管が満流状態に近づいても、管内空気が連通路を通して管外に吹き出す際の吹き出し音も小さくなる。
そして、立主管の下端開口よりも高い位置の筒状体部分に連通路を開口させて、空気圧の上昇が抑制された管内空気を、その連通路を通して管外に逃がすことができるので、管内水が管内空気と共に連通路に流入し難い。
従って、大量の雨水などが大量の空気を伴って立主管を流下しても、管内水が管内空気と共に枝管にも、連通路にも流入し難く、その結果、管内水が枝管からも、連通路からも管外に跳ね出し難いとともに、横主管が満流状態に近づいても、管内空気の連通路からの吹き出し音が小さい。
【０００６】
本発明の第２特徴構成は、前記立主管の下端側を前記筒状体の内側に突出するように入り込ませてある点にある。
【０００７】
〔作用及び効果〕
立主管の下端側を筒状体の内側に突出するように入り込ませてあるので、立主管と筒状体との間の空間に連通路を開口させることができ、立主管の下端側から筒状体内に流出する管内水の運動方向と、筒状体内から連通路に流入する管内空気の運動方向とが互いに略逆向きになり、管内水の連通路への流入を効果的に防止できる。
【０００８】
本発明の第３特徴構成は、前記筒状体部分に形成した貫通孔で前記連通路を構成してある点にある。
【０００９】
〔作用及び効果〕
筒状体部分に形成した貫通孔で、筒状体の内外を連通する連通路を構成してあるので、通気管などを特に接続すること無く、管内空気を管外に逃がすことができ、配管構造の簡略化を図ることができる。
【発明を実施するための最良の形態】
【００１０】
以下に本発明の実施の形態を図面に基づいて説明する。
〔第１実施形態〕
図１は、マンションなどの中高層住宅Ａに設けてある本発明による排水用配管構造を示し、円筒状の樹脂製排水用立主管１を略鉛直方向に沿わせて配管して、その立主管１の下端側に円筒状の樹脂製排水用横主管２を水勾配を持たせて連通接続してあるとともに、立主管１の上下方向複数箇所、つまり、各階層毎に設けてあるベランダＢの下側箇所に、分岐継ぎ手４を介して、円筒状の樹脂製排水用枝管３を水勾配を持たせて連通接続してある。
尚、立主管１や横主管２，枝管３の全部又は一部を金属管で構成してあっても良い。
【００１１】
そして、屋上排水口５に立主管１の上端側を連通接続するとともに、各ベランダ排水口６に各枝管３の上端側を連通接続して、ベランダＢや屋上階Ｃから立主管１に流入した雨水を、横主管２を通して集水枡７に流入させて排水可能に設けてある。
【００１２】
前記立主管１の下端側には、図２にその一部を示すように、立主管１の外径よりも内径が大きい大径部８を備えた円形筒状体９を同芯状に連通接続して、その筒状体９の下部に、エルボ継手１０を介して横主管２を連通接続してある。
【００１３】
前記筒状体９は、連通路１１が開口する上部筒状体９ａと、横主管２が連通接続される下部筒状体９ｂとを同芯状にねじ込み接続して構成してあり、上部筒状体９ａの上端部をその内径が立主管１の外径よりも１．２〜１．５倍程度大径になるように形成して、その内側に立主管１を挿通し、立主管１と上部筒状体９ａとの隙間を塞ぐキャップ１３を、ゴム製Ｏリング１４を挟んで上部筒状体９ａにねじ込んで装着してある。
【００１４】
そして、筒状体９の内外を連通する連通路１１を、立主管１の下端開口１２よりも高い位置の筒状体部分である上部筒状体９ａに開口させてある。
つまり、立主管１の下端側を下部筒状体９ｂの内側に突出するように同芯状に入り込ませて、立主管１と筒状体９との間に環状の空間１５を形成してある二重管構造を設け、その空間１５の上部に連通路１１を開口させてある。
【００１５】
前記連通路１１は、上部筒状体９ａに設けてある分岐接続部１６に、短管１７とエルボ継手１８とを介して、外部空気に連通する通気管１９を下向きに連通接続して設けてある。
【００１６】
尚、空間１５の筒径方向の断面積は、立主管１の管径方向の管内断面積よりも広いことが好ましく、呼び径７５φ（内径７７ｍｍ，外径８９ｍｍ）の立主管１を設けてある場合は、大径部８の内径が１２５ｍｍの筒状体９を設けてあるのが好ましいが、呼び径１００φ（内径１００ｍｍ，外径１１４ｍｍ）の立主管１を設けてある場合は、大径部８の内径が１４６ｍｍの筒状体９を設けてあっても良い。
また、いずれの場合でも、立主管１の筒状体９の内側への入り込み深さは、６００ｍｍ程度が好ましい。
尚、上記配管構造を形成するにあたり、本実施形態ではねじ込み接続方式を用いているが、樹脂材同士を専用の接着剤で接合する接着方式を用いても良い。
【００１７】
〔第２実施形態〕
図３は、本発明の別実施形態を示し、第１実施形態で示した通気管１９を設けて形成してある連通路１１に代えて、筒状体９の上部筒状体９ａに貫通孔としての筒周方向で複数の矩形窓孔２０を形成して、筒状体９の内外を連通する連通路１１を構成し、各矩形窓孔２０を筒径方向に間隔を隔てて傘状に囲むカバー２１をキャップ１３に一体に設けてある。
その他の構成は第１実施形態と同様である。
【００１８】
〔第３実施形態〕
図４は、本発明の別実施形態を示し、立主管１の下端側に円形筒状体９を一体に連通接続してあるとともに、立主管１と筒状体９との間の空間１５のうちの、立主管１の下端開口１２と略同じ高さ位置近くにおいて、その下端開口１２よりも高い位置の筒状体部分に開口する連通路１１を設けてある。
【００１９】
つまり、立主管１を、上部立主管部１ａと、短管部１ｂと、上部立主管部１ａの下端側と短管部１ｂとを接続する接続管部１ｃとで構成し、接続管部１ｃの下端部に筒状体９を一体に延設して、短管部１ｂを筒状体９の内側に同芯状に突出するように入り込ませてある。
【００２０】
前記上部立主管部１ａと接続管部１ｃと短管部１ｂは溶接で互いに同芯状に接続してあり、短管部１ｂは、接続管部１ｃの内面側に溶接接続してある第１短管２２ａと、その第１短管２２ａに溶接接続してある第２短管２２ｂとで構成してある。
【００２１】
前記連通路１１は、筒状体９に、側面視で上向きＬ字状の通気管１９を連通接続して形成してあり、通気管１９の上端部には、その上向き開口２３を間隔を隔てて囲むカバー２４を固定してある。
その他の構成は第１実施形態と同様である。
【００２２】
〔第４実施形態〕
図５は、本発明の別実施形態を示し、円形筒状体９を筒部２５ａとその上端開口を塞ぐ蓋部２５ｂとで構成し、蓋部２５ｂに立主管１の下端部を挿通して溶接固定してあるとともに、連通路１１を形成する下向きコの字状の通気管１９の一端側を蓋部２５ｂに挿通して溶接固定して、連通路１１を立主管１の下端開口１２よりも高い位置の筒状体部分に開口させてある。
その他の構成は第１実施形態と同様である。
【００２３】
〔その他の実施形態〕
本発明による排水用配管構造は、立主管の下端側に角筒形の筒状体を同芯状に連通接続してあっても良い。
【図面の簡単な説明】
【００２４】
【図１】排水用配管構造の側面図
【図２】第１実施形態を示す要部の縦断面図
【図３】第２実施形態を示す要部の縦断面図
【図４】第３実施形態を示す要部の縦断面図
【図５】第４実施形態を示す要部の縦断面図
【符号の説明】
【００２５】
１  立主管
２  横主管
３  枝管
８  大径部
９  筒状体
１１  連通路
１２  下端開口
１５  空間
２０  貫通孔
【図１】
2008267040.tif 000003
【図２】
2008267040.tif 000004
【図３】
2008267040.tif 000005
【図４】
2008267040.tif 000006
【図５】
2008267040.tif 000007